(57)【特許請求の範囲】
【請求項１】
冷媒が圧縮されるシリンダ室（３３）を内部に有する筒状のシリンダブロック（２９）と、
前記シリンダブロック（２９）の側部に取り付けられ、該側部における前記シリンダ室（３３）の開口を封止するサイドブロック（３１ａ，３１ｂ）と、
前記シリンダ室（３３）内で回転し、前記シリンダ室（３３）の内周面（３３ｄ）に対向する外周面（２３ａ）に開口する複数のベーン溝（７５）を回転方向（Ｘ）に間隔をおいて複数有するロータ（２３）と、
前記各ベーン溝（７５）にそれぞれ収納されて前記外周面（２３ａ）から出没し、前記シリンダ室（３３）の内周面（３３ｄ）に摺接して該内周面（３３ｄ）と前記ロータ（２３）の外周面（２３ａ）との間を複数の圧縮室（３３ａ，３３ｂ，３３ｃ）に仕切る複数のベーン（２５）と、
前記サイドブロック（３１ａ，３１ｂ）の少なくとも一方に形成され、吸入工程から圧縮工程にかけての前記圧縮室（３３ａ，３３ｂ，３３ｃ）を仕切る前記ベーン（２５）を収容した前記ベーン溝（７５）の溝底の背圧空間（７７）に連通して、吸入工程から圧縮工程にかけての前記圧縮室（３３ａ，３３ｂ，３３ｃ）の冷媒圧力より大きい中間圧を前記背圧空間（７７）に供給する中間圧供給部（６７）と、
前記サイドブロック（３１ａ，３１ｂ）の少なくとも一方に形成され、圧縮工程から吐出工程にかけての前記圧縮室（３３ａ，３３ｂ，３３ｃ）を仕切る前記ベーン（２５）を収容した前記ベーン溝（７５）の前記背圧空間（７７）に、前記中間圧供給部（６７）との連通を終えた後に連通して、圧縮工程から吐出工程にかけての前記圧縮室（３３ａ，３３ｂ，３３ｃ）の冷媒圧力及び前記中間圧より大きい高圧を前記背圧空間（７７）に供給する高圧供給部（６９）とを備えており、
前記高圧供給部（６９）は、前記回転方向（Ｘ）において複数の互いに独立した第１供給部（６９ａ）と第２供給部（６９ｂ）とに分割されており、
少なくとも前記回転方向（Ｘ）の最上流側から２番目に位置する前記第２供給部（６９ｂ）は、１つのベーン溝（７５）の前記背圧空間（７７）が連通している間、該ベーン溝（７５）と前記回転方向（Ｘ）の上流側において隣り合う他の前記ベーン溝（７５）の前記背圧空間（７７）が同時に連通しない形状に形成されているとともに、前記高圧供給部（６９）は、１つの前記ベーン溝（７５）の前記背圧空間（７７）と、該ベーン溝（７５）と前記回転方向（Ｘ）の上流側において隣り合う他の前記ベーン溝（７５）の前記背圧空間（７７）とが、同時に連通する範囲に形成されている、
ことを特徴とする気体圧縮機（１）。
【請求項２】
前記第１供給部（６９ａ）よりも前記回転方向（Ｘ）の下流側に位置する他の供給部（６９ｂ）は、前記回転方向（Ｘ）において前記第１供給部（６９ａ）よりも大きい寸法の空間を有していることを特徴とする請求項１記載の気体圧縮機（１）。
【発明の詳細な説明】
【技術分野】
【０００１】
本発明は、所謂、ベーンロータリー型の気体圧縮機に関する。
【背景技術】
【０００２】
特許文献１に示すように、従来より気体圧縮機は種々提案されている。
【０００３】
図６は、従来の気体圧縮機内に配置される圧縮ブロックを示している。
【０００４】
この圧縮ブロックは、シリンダブロック１００と、シリンダブロック１００の左右に配置される一対のサイドブロック１０１とを有する。シリンダブロック１００と一対のサイドブロック１０１の内部には、シリンダ室１０５が形成されている。シリンダブロック１００には、吸入口１１０と２つの吐出口１０８が設けられている。
【０００５】
シリンダ室１０５には、ロータ１０２が回転自在に配置されている。ロータ１０２には、間隔を置いて複数のベーン溝１０６が形成されている。各ベーン溝１０６には、ロータ１０２の外周面より出没自在にベーン１０３が配置されている。ベーン溝１０６のベーン１０３より背面側には、背圧空間１０７（１０７Ａ、１０７Ｂ、１０７Ｃ）が形成されている。背圧空間１０７は、ロータ１０２の両側面に開口している。
【０００６】
各サイドブロック１０１のシリンダ室１０５側の壁面には、背圧空間１０７の回転軌跡上に中間圧供給溝１１３と高圧供給溝１１４が形成されている。中間圧供給溝１１３には、吸入した冷媒よりも高く、吐出した冷媒よりも低い圧力である中間圧が供給される。高圧供給溝１１４には、吐出した冷媒と同等の圧力である高圧が供給される。
【０００７】
シリンダ室１０５には、２つのベーン１０３に囲まれて圧縮室１０５ａ，１０５ｂ，１０５ｃが形成される。ロータ１０２の回転時には、圧縮室１０５ａ，１０５ｂ，１０５ｃは、吸入工程と圧縮工程と吐出工程を行い、この一連の工程を繰り返す。
【０００８】
吸入工程では、圧縮室１０５ａ，１０５ｂ，１０５ｃの容積が徐々に大きくなって吸入口１１０より冷媒を吸入する。圧縮工程では、圧縮室１０５ａ，１０５ｂ，１０５ｃの容積が徐々に小さくなって冷媒を圧縮する。吐出工程では、圧縮室１０５ａ，１０５ｂ，１０５ｃの容積が徐々に小さくなるとともに冷媒圧が所定圧以上になると、開閉弁１０９が開いて冷媒を吐出口１０８より吐出する。
【０００９】
このような一連の工程において、各ベーン１０３には、圧縮室１０５ａ，１０５ｂ，１０５ｃの冷媒圧力が各ベーン１０３をベーン溝１０６へ収納する方向（以下「収納方向」）に押圧するが、背圧空間１０７に作用する背圧によって各ベーン１０３の先端がシリンダ室１０５の内壁を摺動し、圧縮室１０５ａ，１０５ｂ，１０５ｃが冷媒を確実に圧縮することができるようになっている。
【００１０】
ここで、収納方向の圧力が小さい吸入工程や圧縮工程の初期では、中間圧供給溝１１３からの中間圧を背圧として作用させる。また、ベーン１０３の収納方向への圧力が大きい圧縮工程の後期や吐出工程では、高圧供給溝１１４からの高圧を背圧として作用させる。このように、ベーン１０３に作用させる背圧をベーン１０３の収納方向への圧力に応じて変更することによって、ベーン１０３の摺動抵抗を極力小さくし低燃費化を図っている。
【先行技術文献】
【特許文献】
【００１１】
【特許文献１】特開２０１３−１９４５４９号公報
【発明の概要】
【発明が解決しようとする課題】
【００１２】
ところで、前記従来例では、背圧空間１０７が中間圧供給溝１１３から高圧供給溝１１４に連通状態を移行する際に、先行する回転下流の背圧空間１０７が高圧供給溝１１４に既に連通している。このため、追従する回転上流の背圧空間１０７が高圧供給溝１１４への連通状態に移行し終えると、２つの背圧空間１０７が同時に高圧供給溝１１４に連通する状態となる。
【００１３】
このとき、圧力が中間圧である回転上流の背圧空間１０７と高圧供給溝１１４を介して連通した回転下流の背圧空間１０７の圧力が、図７のＰに示すように、高圧よりも一時的に低下する。回転下流側のベーン１０３には、圧縮工程の後期や吐出工程の圧縮室１０５の冷媒の圧力がベーン１０３の収納方向に作用しているため、ベーン１０３がベーン溝１０６に一時的に収納されてチャタリングが発生する可能性がある。
【００１４】
本発明は前記事情に鑑みなされたもので、本発明の目的は、圧縮工程の後期や吐出工程におけるベーンの背圧空間の一時的な減圧によるベーンのチャタリング発生を防止することにある。
【課題を解決するための手段】
【００１５】
上記の目的を達成するために、請求項１に記載した本発明の気体圧縮機は、
冷媒が圧縮されるシリンダ室を内部に有する筒状のシリンダブロックと、
前記シリンダブロックの側部に取り付けられ、該側部における前記シリンダ室の開口を封止するサイドブロックと、
前記シリンダ室内で回転し、前記シリンダ室の内周面に対向する外周面に開口する複数のベーン溝を回転方向に間隔をおいて複数有するロータと、
前記各ベーン溝にそれぞれ収納されて前記外周面から出没し、前記シリンダ室の内周面に摺接して該内周面と前記ロータの外周面との間を複数の圧縮室に仕切る複数のベーンと、
前記サイドブロックの少なくとも一方に形成され、吸入工程から圧縮工程にかけての前記圧縮室を仕切る前記ベーンを収容した前記ベーン溝の溝底の背圧空間）に連通して、吸入工程から圧縮工程にかけての前記圧縮室の冷媒圧力より大きい中間圧を前記背圧空間に供給する中間圧供給部と、
前記サイドブロックの少なくとも一方に形成され、圧縮工程から吐出工程にかけての前記圧縮室を仕切る前記ベーンを収容した前記ベーン溝の前記背圧空間に、前記中間圧供給部との連通を終えた後に連通して、圧縮工程から吐出工程にかけての前記圧縮室の冷媒圧力及び前記中間圧より大きい高圧を前記背圧空間に供給する高圧供給部とを備えており、
前記高圧供給部は、前記回転方向において複数の互いに独立した第１供給部と第２供給部とに分割されており、
少なくとも前記回転方向の最上流側から２番目に位置する前記第２供給部は、１つのベーン溝の前記背圧空間が連通している間、該ベーン溝と前記回転方向の上流側において隣り合う他の前記ベーン溝の前記背圧空間が同時に連通しない形状に形成されているとともに、前記高圧供給部は、１つの前記ベーン溝の前記背圧空間と、該ベーン溝と前記回転方向の上流側において隣り合う他の前記ベーン溝の前記背圧空間とが、同時に連通する範囲に形成されている、
ことを特徴とする。
【００１６】
また、請求項２に記載した本発明の気体圧縮機は、請求項１に記載した本発明の気体圧縮機において、前記第１供給部よりも前記回転方向の下流側に位置する他の供給部は、前記回転方向において前記第１供給部よりも大きい寸法の空間を有していることを特徴とする。
【発明の効果】
【００１７】
本発明によれば、中間圧供給部との連通を終えたベーン溝の背圧空間が、そのベーン溝に収納されたベーンによって仕切られた圧縮室の冷媒圧力が最高圧に達するまで、高圧供給部の第１供給部に連通し、第１供給部から高圧が供給される。その後、この背圧空間は、回転方向上流側の次のベーン溝の背圧空間が第１供給部に連通するよりも前に第１供給部との連通を終えて、第１供給部とは独立した次の供給部と連通して再び高圧が供給されるようになる。
【００１８】
このため、中間圧供給部との連通を終えた背圧空間が高圧供給部の第１供給部に連通する時点で、その背圧空間の回転方向における下流側に隣り合う先行の背圧空間は、第１供給部に同時に連通することがない。よって、先行する背圧空間の圧力が、追従する次の背圧空間の高圧に上がる前の中間圧により一時的に高圧から下げられるのを防ぎ、圧縮工程の後期や吐出工程におけるベーンの背圧空間の一時的な減圧によるベーンのチャタリング発生を防止することができる。
【図面の簡単な説明】
【００１９】
【図１】本発明の一実施形態に係るベーンロータリー式の気体圧縮機の全体構成を示す断面図である。
【図２】図１の気体圧縮機のＡ−Ａ矢視図である。
【図３】図１の気体圧縮機のＢ−Ｂ矢視図である。
【図４】図３に示す圧縮ブロックの要部を拡大して示す説明図である。
【図５】図３の圧縮室の圧力及びベーン溝のベーンの背圧空間の圧力のロータの回転角度に応じた変化を示すグラフである。
【図６】従来の気体圧縮機の圧縮ブロックの内部を示す説明図である。
【図７】図６の圧縮室の圧力及びベーン溝のベーンの背圧空間の圧力のロータの回転角度に応じた変化を示すグラフである。
【発明を実施するための形態】
【００２０】
以下、本発明の実施形態について図面を参照しながら説明する。
【００２１】
図１に示すように、本発明の一実施形態に係る気体圧縮機１は、略円筒状のハウジング２と、ハウジング２内に収容される圧縮部３と、圧縮部３に駆動力を伝達するモータ部４と、ハウジング２に固定され、モータ部４の駆動を制御するインバータ部５とを備えている。
【００２２】
ハウジング２は、図示しない吸入ポートが形成されるフロントヘッド７と、開口をフロントヘッド７に閉塞される有底筒状のリアケース９とからなっている。
【００２３】
リアケース９の内壁１３には圧縮部３が固定されている。圧縮部３は、ハウジング２内を区画するようにして一方側に吸入室１１が形成され、他方側に吐出室１５とが形成されている。また、リアケース９の外周には、吐出室１５と冷凍サイクルとを連通する図示しない吐出ポートが形成されている。また、吐出室１５の下方には、圧縮部３の潤滑性を保つための油Ｏが貯留する油溜まり１７が形成されている。
【００２４】
圧縮部３は、シリンダ室３３を形成する圧縮ブロック１９と、圧縮ブロック１９に固定される油分離器２１と、シリンダ室３３内に回転自在に収容されるロータ２３と、ロータ２３から出没してシリンダ室３３を仕切るベーン２５（図３参照）と、ロータ２３と一体に固定されて駆動力を伝達する駆動軸２７とを備えている。
【００２５】
圧縮ブロック１９は、シリンダブロック２９と、一対のサイドブロック３１と、シリンダブロック２９の内周に形成されるシリンダ室３３とからなっている。
【００２６】
図３に示すようにシリンダブロック２９は、内部に歪んだ楕円形状のシリンダ室３３を有している。このシリンダ室３３の開口は、シリンダブロック２９の両端を一対のサイドブロック３１によって狭持することにより閉塞される。
【００２７】
図３、図４に示すようにロータ２３は、１箇所がシリンダ室３３の内壁に接するように配置され、シリンダ室３３の中心（重心）よりずれた位置を回転中心にして配置されており、ロータ２３の外周面に開口するベーン溝７５と、ベーン２５の背面側の背圧空間７７とを備えている。
【００２８】
シリンダ室３３は、ロータ２３の複数のベーン溝７５から出没する複数のベーン２５によって、ロータ２３の回転方向Ｘに複数に仕切られる。これにより、シリンダ室３３の内周面３３ｄとロータ２３の外周面２３ａとの間に複数の圧縮室３３ａ，３３ｂ，３３ｃが形成される。
【００２９】
また、シリンダブロック２９は、シリンダ室３３内に冷媒を吸入する吸入孔３９と、シリンダ室３３内で圧縮した冷媒を吐出する吐出孔３５と、吐出孔３５を開閉する開閉弁３７と、サイドブロック３１の油供給路と連通するシリンダ側油供給路４１とを備えている。
【００３０】
図１に示すように、一対のサイドブロック３１は、フロントサイドブロック３１ａとリアサイドブロック３１ｂとからなっており、リアサイドブロック３１ｂには油分離器２１が固定されている。
【００３１】
フロントサイドブロック３１ａは、シリンダブロック２９に当接するフロント側端面４３と、吸入孔３９と連通し、吸入室１１から冷媒を吸入する図示しない吸入孔と、駆動軸２７を回転自在に支持するフロント側軸受４７と、シリンダ側油供給路４１と連通するフロント側油供給路４９とを備えている。
【００３２】
フロント側端面４３には、圧力供給溝が設けられており、圧力供給溝は、吸入した冷媒よりも高く、吐出する冷媒の圧力よりも低い中間の圧力（中間圧）を背圧空間７７へ供給する中間圧供給溝５１と、リアサイドブロック３１ｂ側の高圧供給溝６９に対向する位置に設けられる高圧供給溝５３とを備えている。
【００３３】
また、フロント側軸受４７には、環状のフロント側環状溝５５が形成されており、フロント側油供給路４９の一端側に連通して設けられている。なお、フロント側油供給路４９の他端側は、シリンダ側油供給路４１と連通している。
【００３４】
図２に示すように、リアサイドブロック３１ｂは、シリンダブロック２９に当接するリア側端面５７と、吐出室１５の下方に貯留する油Ｏを吸入する油供給穴５９と、駆動軸２７を回転自在に支持するリア側軸受６３と、シリンダ側油供給路４１と連通するリア側油供給路５９ｂとを備えている。
【００３５】
リア側端面５７は、シリンダ室３３内で圧縮した冷媒を吐出する吐出穴６１と、吸入した冷媒の圧力（吸入圧）よりも高く、吐出した冷媒の圧力（吐出圧）よりも低い中間圧の油を背圧空間７７へ供給する中間圧供給溝６７（請求項中の中間圧供給部に相当）と、吐出した冷媒の圧力（吐出圧）である高圧の油を背圧空間７７へ供給する高圧供給溝６９（請求項中の高圧供給部に相当）とを備えている。
【００３６】
高圧供給溝６９は、ロータ２３の回転方向Ｘにおいて、互いに独立した第１供給部６９ａ及び第２供給部６９ｂに分割されている。第１供給部６９ａ及び第２供給部６９ｂには、高圧供給通路７１ａ，７１ｂがそれぞれ開口しており、各高圧供給通路７１ａ，７１ｂは、一端側がリア側環状溝７３に連通し、他端側が第１供給部６９ａ及び第２供給部６９ｂにそれぞれ連通している。
【００３７】
なお、高圧供給溝６９に対向するフロントサイドブロック３１ａの高圧供給溝５３も、第１供給部６９ａ及び第２供給部６９ｂと同様の２つの供給部（図示せず）に分割されている。
【００３８】
ロータ２３に形成された背圧空間７７（図３、図４参照）は、ロータ２３が回転することにより、圧縮前半位置では、中間圧供給溝５１，６７と連通し、圧縮後半位置では、高圧供給溝５３，６９と連通する。
【００３９】
図４に示す状態では、ロータ２３の回転により吸入工程から圧縮工程にかけて移動した圧縮室３３ｂと、ロータ２３の回転方向Ｘにおける圧縮室３３ｂの下流側に位置し圧縮工程から吐出工程にかけて移動した圧縮室３３ａとを仕切るベーン２５Ｂのベーン溝７５の背圧空間７７Ｂが、中間圧供給溝６７との連通を終えている。そして、背圧空間７７Ｂは、ロータ２３の回転方向Ｘにおける上流側に位置する第１供給部６９ａにこれから連通する。
【００４０】
この状態では、ロータ２３の回転方向Ｘにおけるベーン２５Ｂの下流側を先行するベーン２５Ａのベーン溝７５の背圧空間７７Ａは、第１供給部６９ａとの連通を既に終えて、回転方向Ｘの下流側に位置する第２供給部６９ｂと連通している。
【００４１】
そして、第２供給部６９ｂは、ロータ２３の回転方向Ｘにおいて、先行するベーン２５Ａの背圧空間７７Ａとベーン２５Ａに追従する次のベーン２５Ｂの背圧空間７７Ｂとが、同時に連通することがない形状に形成されている。この関係は、ロータ２３の回転方向Ｘにおいて前後するベーン２５Ｂ，２５Ｃの背圧空間７７Ｂ，７７Ｃや、ベーン２５Ｃ，２５Ａの背圧空間７７Ｃ，７７Ａにも該当する。
【００４２】
なお、ロータ２３の回転方向Ｘにおける中間圧供給溝６７と第１供給部６９ａとの距離や第２供給部６９ｂと中間圧供給溝６７との距離は、ロータ２３の回転方向Ｘにおける背圧空間７７の幅よりも幅広に設定されている。ロータ２３の回転方向Ｘにおける第１供給部６９ａと第２供給部６９ｂとの距離も、ロータ２３の回転方向Ｘにおける背圧空間７７の幅よりも幅広に設定されている。
【００４３】
図１に示すように、油供給穴５９は、リア側油供給路５９ａと連通して形成されており、リア側油供給路５９ａから分岐してリア側油供給路５９ｂが形成されている。このリア側油供給路５９ｂは、シリンダ側油供給路４１に連通している。
【００４４】
リア側軸受６３には、環状のリア側環状溝７３が形成されており、リア側連通路６５と連通している。リア側連通路６５は、一端側がリア側環状溝７３と連通し、他端側が高圧供給溝６９に開口している。
【００４５】
油分離器２１は、リアサイドブロック３１ｂに固定され、シリンダ室３３内で圧縮された冷媒が油分離器２１に流入し、冷媒と油Ｏとを分離させている。
【００４６】
駆動軸２７は、一方側をロータ２３に固定されるとともに、各サイドブロック３１ａ，３１ｂの軸受４７，６３によって回転自在に支持されている。また、駆動軸２７の他方側には、モータ部４が固定されている。
【００４７】
モータ部４は、リアケース９の内壁１３に固定されるステータ７９と、ステータ７９の内周側に回転自在に配置され、磁力によって回転するモータロータ８１とを備えている。磁力によってモータロータ８１が回転することで、圧縮部３へ回転駆動力を伝達している。
【００４８】
次に、気体圧縮機１の動作について説明する。
【００４９】
まず、図１に示すインバータ部５の制御によって、モータ部４のステータ７９に巻き掛けられたコイルに電流が流れる。コイルに電流が流れることにより磁力が発生し、ステータ７９の内周に配置されたモータロータ８１が回転する。
【００５０】
モータロータ８１が回転することにより、一端側にモータロータ８１が固定された駆動軸２７が回転し、他端側の駆動軸２７に固定されたロータ２３も回転する。
【００５１】
ロータ２３の回転とともに、吸入室１１に冷媒が流入し、吸入室１１からフロントサイドブロック３１ａの吸入孔（不図示）を介してシリンダ室３３へ冷媒が吸入される（吸入工程）。シリンダ室３３へ吸入した冷媒は、複数のベーン２５によってシリンダ室３３内に圧縮室３３ａ，３３ｂ，３３ｃが形成され、ロータ２３が回転することによって圧縮室３３ａ，３３ｂ，３３ｃ内の冷媒を圧縮している（圧縮工程）。
【００５２】
シリンダ室３３内で圧縮された冷媒は、開閉弁３７を押し開けて吐出孔３５から吐出し（吐出工程）、吐出穴６１から油分離器２１を介して吐出室１５へ吐出される。また、吐出穴６１から吐出した冷媒は、油分離器２１によって冷媒と油Ｏとに分離され、冷媒は、図示しない吐出ポートから図示しない冷凍サイクルに吐出し、油Ｏは、吐出室１５の下方に貯留される。
【００５３】
吐出室１５の下方に貯留した油は、リアサイドブロック３１ｂの油供給穴５９からリア側油供給路５９ａを通りリア側軸受６３へ供給される。
【００５４】
リア側軸受６３へ供給された高圧の油は、駆動軸２７との間で絞られることによって、吸入した冷媒の圧力（吸入圧）よりも高く、吐出した冷媒の圧力（吐出圧）よりも低い中間圧となり、中間圧となった油Ｏは駆動軸２７とリアサイドブロック３１ｂとの間の隙間を通って中間圧供給溝６７へ供給される。
【００５５】
中間圧供給溝６７へ供給された中間圧の油Ｏは、図３に示すように、冷媒の吸入工程から圧縮工程の範囲にかけて、背圧空間７７に中間圧を供給し、ベーン溝７５からベーン２５が突出するようにベーン２５の背面に中間圧を供給している。
【００５６】
また、リア側軸受６３へ供給された高圧の油Ｏは、リア側連通路６５を介してリア側端面５７に開口する高圧供給通路７１ａ，７１ｂから高圧供給溝６９の第１供給部６９ａ及び第２供給部６９ｂへ供給される。
【００５７】
第１供給部６９ａ及び第２供給部６９ｂへ供給された高圧の油Ｏは、図３に示すように、冷媒の圧縮工程から吐出工程の範囲にかけて、背圧空間７７に高圧を供給し、ベーン溝７５からベーン２５が突出するようにベーン２５の背面に高圧を供給している。また、第１供給部６９ａ及び第２供給部６９ｂは、背圧空間７７を介してフロントサイドブロック３１ａ側の高圧供給溝５３の対応する不図示の各供給部と連通し、高圧供給溝５３の各供給部からも背圧空間７７へ高圧が供給されている。
【００５８】
また、高圧の油Ｏは、油供給穴５９からリア側油供給路５９ａに流入し、リア側油供給路５９ａから分岐してリア側油供給路５９ｂを通り、シリンダ側油供給路４１を介してフロント側油供給路４９からフロント側軸受４７へ供給される。
【００５９】
フロント側軸受４７に供給された高圧の油Ｏは、駆動軸２７との間で絞られることで中間圧となり、中間圧となった油Ｏは駆動軸２７とフロントサイドブロック３１ａとの間の隙間を通って中間圧供給溝５１へ供給される。
【００６０】
フロントサイドブロック３１ａ及びリアサイドブロック３１ｂの高圧供給溝５３，６９から供給された高圧の油Ｏは、ロータ２３の回転後半位置においてロータ２３の背圧空間７７へ供給され、ベーン溝７５からベーン２５を突出させる背圧を付与している。
【００６１】
本実施形態の気体圧縮機１によれば、中間圧供給溝６７との連通を終えたベーン溝７５の背圧空間７７が高圧供給溝６９の第１供給部６９ａに連通し、第１供給部６９ａから高圧が供給される。
【００６２】
その後、この背圧空間７７は、回転方向Ｘの上流側に位置する次のベーン溝７５の背圧空間７７が第１供給部６９ａに連通するよりも前に第１供給部６９ａとの連通を終えて、第１供給部６９ａとは独立した回転方向Ｘの下流側に位置する第２供給部６９ｂと連通して再び高圧が供給されるようになる。
【００６３】
そして、高圧供給溝６９の第１供給部６９ａとの連通を終えた背圧空間７７が高圧供給溝６９の第２供給部６９ｂに連通する時点で、その背圧空間７７の回転方向Ｘにおける下流側に隣り合う先行の背圧空間７７は、第２供給部６９ｂに同時に連通することがない。
【００６４】
よって、図７のグラフ中のＰで示したように、先行する背圧空間７７の圧力が、追従する次の背圧空間７７の中間圧から高圧に上がる途中の圧力により一時的に高圧から下げられるのを、図５のグラフに示すように防ぐことができる。これにより、圧縮工程の後期や吐出工程におけるベーン２５の背圧空間７７の一時的な減圧によりベーン２５がシリンダ室３３の内周面３３ｄに対して接離を繰り返すチャタリングの発生を防止することができる。
【００６５】
なお、高圧供給溝６９の第２供給部６９ｂは、ロータ２３の回転方向Ｘにおいて隣り合う２つの背圧空間７７が同時に連通することがない範囲で、回転方向Ｘにおいてできるだけ大きい寸法の形状とすることが望ましい。そうすることにより、第１供給部６９ａとの連通により中間圧から高圧に向けて圧力を増加させた背圧空間７７を、圧縮室３３ａ，３３ｂ，３３ｃの圧縮工程の早い段階から第２供給部６９ｂに連通させて高圧に安定させることができる。
【００６６】
また、本実施形態では、高圧供給溝６９が回転方向Ｘにおいて２つの互いに独立した第１供給部６９ａ及び第２供給部６９ｂに分割されているものとした。しかし、高圧供給溝６９が回転方向Ｘにおいて３つ以上の供給部に分割されている場合にも、本発明は適用可能である。その場合、回転方向Ｘにおいて隣り合う２つの背圧空間７７が同時に連通しない形状に形成するのは、高圧供給溝６９のうち、背圧空間７７の圧力が中間圧から高圧に上がる途中のときに背圧空間７７と連通する供給部である。
【００６７】
したがって、回転方向Ｘの最上流側から２番目に位置する供給部は少なくとも、回転方向Ｘにおいて隣り合う２つの背圧空間７７が同時に連通しない形状に形成する対象となる。また、最上流側から３番目以降の供給部も、背圧空間７７の圧力が中間圧から高圧に上がる途中のときに背圧空間７７と連通する場合は、回転方向Ｘにおいて隣り合う２つの背圧空間７７が同時に連通しない形状に形成する対象の供給部となる。
【符号の説明】
【００６８】
１  気体圧縮機
２  ハウジング
３  圧縮部
４  モータ部
５  インバータ部
７  フロントヘッド
９  リアケース
１１  吸入室
１３  内壁
１５，１０８  吐出室
１９  圧縮ブロック
２１  油分離器
２３，１０２  ロータ
２３ａ  外周面
２５（２５Ａ，２５Ｂ，２５Ｃ），１０３  ベーン
２７  駆動軸
２９，１００  シリンダブロック
３１，１０１  サイドブロック
３１ａ  フロントサイドブロック
３１ｂ  リアサイドブロック
３３，１０５  シリンダ室
３３ａ，３３ｂ，３３ｃ，１０５ａ，１０５ｂ，１０５ｃ  圧縮室
３３ｄ  内周面
３５  吐出孔
３７，１０９  開閉弁
３９  吸入孔
４１  シリンダ側油供給路
４３  フロント側端面
４７  フロント側軸受
４９  フロント側油供給路
５１，１１３  中間圧供給溝
５３，１１４  高圧供給溝
５５  フロント側環状溝
５７  リア側端面
５９  油供給穴
５９ａ  リア側油供給路
５９ｂ  リア側油供給路
６１  吐出穴
６３  リア側軸受
６５  リア側連通路
６７  中間圧供給溝（中間圧供給部）
６９  高圧供給溝（高圧供給部）
６９ａ  第１供給部
６９ｂ  第２供給部
７１ａ，７１ｂ  高圧供給通路
７３  リア側環状溝
７５，１０６  ベーン溝
７７（７７Ａ，７７Ｂ，７７Ｃ），１０７  背圧空間
７９  ステータ
８１  モータロータ
１１０  吸入口
Ｏ  油
Ｘ  回転方向
【要約】
【課題】圧縮工程の後期や吐出工程におけるベーンの背圧空間の一時的な減圧によるベーンのチャタリング発生を防止する。
【解決手段】中間圧供給溝６７との連通を終えたベーン溝７５の背圧空間７７が、そのベーン溝７５のベーン２５で仕切られた圧縮室３３ａ，３３ｂ，３３ｃの冷媒圧力が最高圧に達するまで、第１供給部６９ａに連通し第１供給部６９ａから高圧が供給される。その後、この背圧空間７７は、回転方向Ｘの上流側のベーン溝７５の背圧空間７７が第１供給部６９ａに連通するよりも前に第１供給部６９ａとの連通を終え、回転方向Ｘの下流側の第２供給部６９ｂと連通して再び高圧が供給される。即ち、中間圧供給溝６７との連通を終えた背圧空間７７が高圧供給溝６９の第１供給部６９ａに連通する時点で、その背圧空間７７の回転方向Ｘにおける下流側に隣り合う先行の背圧空間７７は、第１供給部６９ａに同時に連通しない。
【選択図】図３【図１】
0005878970.tif 000002
【図２】
0005878970.tif 000003
【図３】
0005878970.tif 000004
【図４】
0005878970.tif 000005
【図５】
0005878970.tif 000006
【図６】
0005878970.tif 000007
【図７】
0005878970.tif 000008